(57)【特許請求の範囲】
【請求項１】
保管対象物を収容する収容室を有するコンテナ筐体と、
前記コンテナ筐体に取付ける筐体を有しており前記収容室の室内温度を調整するリーファー装置と、
前記コンテナ筐体に配置され前記収容室に電場を形成する電極部材とを備える電場発生コンテナにおいて、
前記リーファー装置は、前記リーファー装置の前記筐体内に配置されるキャビネットを有しており、前記電極部材に対する通電制御を行う電場発生制御装置を備えており、
前記キャビネットは、操作表示装置を収容する第１の収容部と、高圧電源部を収容する第２の収容部と、それらを開閉する第１の扉及び第２の扉とを有しており、
前記第２の扉は、前記リーファー装置の構造部材と干渉して開かないよう規制されていることを特徴とする電場発生コンテナ。
【請求項２】
前記電場発生制御装置は、
前記リーファー装置から前記電場発生制御装置に対して駆動電源を供給するための電源線を接続する電源接続部と、前記電極部材に繋がる高圧電線を接続する高圧線接続部を有する
請求項１記載の電場発生コンテナ。
【請求項３】
前記電場発生制御装置は、前記コンテナ筐体のドアの開閉状態を検知するセンサの信号線と電気的に接続される信号線接続部を有する
請求項１又は請求項２記載の電場発生コンテナ。
【発明の詳細な説明】
【技術分野】
【０００１】
本発明は、電場発生コンテナの改良に関する。
【背景技術】
【０００２】
リーファーコンテナの収容室に電場を発生することができる電場発生コンテナが知られている（一例として特許文献１を参照。）。リーファーコンテナの収容室に電場を形成することで、「保管対象物」としての生鮮物の鮮度維持を図ることができる。収容室に電場を形成する電場装置は、収容室に電場を形成する電極部材と、電極部材に対して電場を形成するための通電を制御する電場発生制御装置とを備える。
【先行技術文献】
【特許文献】
【０００３】
【特許文献１】特許第６４９９３６６号公報
【発明の概要】
【発明が解決しようとする課題】
【０００４】
リーファーコンテナは、コンテナ筐体に収容室の室内温度を調整するリーファー装置を備えている。リーファー装置は筐体を有しており、その筐体の内側に圧縮機、凝縮器、インバータ、センサ、配管等の各種装置、部品を配置した１つのユニット装置として構成されている。こうしたリーファーコンテナに電場発生制御装置を配置するためには、コンテナ筐体の収容室の全長が短くなってしまうという問題がある。即ち、図６で示すように、従来のリーファー装置２０では、コンテナ筐体２１の収容室の全長を短くしてリーファー装置２２を配置し、そのリーファー装置２２からコンテナ筐体２１の長手方向に突出する支持枠２３を新たに設置し、その支持枠２３に電場発生制御装置２４を配置している。そのため支持枠２３の長さＬだけ収容室の全長が短くなってしまい、積載容量が低減してしまう。
【０００５】
本発明は、上記課題に鑑みてなされたものであり、電場発生コンテナについて積載容量の低減を抑制することを目的とする。
【課題を解決するための手段】
【０００６】
本発明の一態様は、保管対象物を収容する収容室を有するコンテナ筐体と、前記コンテナ筐体に取付ける筐体を有しており前記収容室の室内温度を調整するリーファー装置と、前記コンテナ筐体に配置され前記収容室に電場を形成する電極部材とを備える電場発生コンテナについて、前記リーファー装置の前記筐体内に配置されており、前記電極部材に対する通電制御を行う電場発生制御装置を備えることを特徴とする。
【０００７】
本発明の一態様によれば、電場発生制御装置がリーファー装置の筐体内に配置されているため、積載容量の低減を抑制することができる。ここで電場発生制御装置がリーファー装置の筐体内に配置されているとは、電場発生制御装置の一部が少しでも筐体内から突出して配置されていることを除外するものではない。
【発明の効果】
【０００８】
本発明によれば、電場発生コンテナについて積載容量が低減するのを抑制することができる。
【図面の簡単な説明】
【０００９】
【図１】図２のＩ−Ｉ線に沿う一実施形態の電場発生コンテナの断面図。
【図２】図１のＩＩ−ＩＩ線に沿う電場発生コンテナの断面図。
【図３】図１の電場発生コンテナに備えるリーファー装置を模式的に示す説明図。
【図４】図３の電場発生制御装置の設置状態を示す拡大図。
【図５】図４の電場発生制御装置の上扉と下扉を省略して内部構造を模式的に示す説明図。
【図６】従来技術による電場発生コンテナの電場発生制御装置の設置状態を示す説明図。
【発明を実施するための形態】
【００１０】
〔１〕本発明の一態様は、課題を解決するための手段において例示したほか、さらに以下の態様として下記実施形態に基づき把握することができる。
【００１１】
〔２〕前記本発明の一態様及び実施形態は、前記電場発生制御装置が、キャビネットと、前記キャビネットに設けられ、前記リーファー装置から前記電場発生制御装置に対して駆動電源を供給するための電源線を接続する電源接続部と、前記キャビネットに設けられ、前記電極部材に繋がる高圧電線を接続する高圧線接続部とを有するものとしてもよい。これによれば、キャビネットに電源接続部と高圧線接続部を有するため、電場発生制御装置を小型化できる。
【００１２】
〔３〕前記本発明の一態様及び実施形態は、前記電場発生制御装置が、操作画面を表示する操作表示装置を有し、前記キャビネットが、少なくとも前記操作画面と対向する窓を有する第１の扉を含む複数の扉を有するものとしてもよい。これによれば第１の扉を開けば操作画面を外部に露出させることができる。また、他の扉は閉じておくことができるので、キャビネットの内部がすべて外部に露出する機会を減らすことができ、キャビネットの内部に配置した部品を保護することができる。
【００１３】
実施形態の説明〔図１〜図５〕
【００１４】
次に、本発明の好適な実施形態について説明する。以下に説明する本実施形態は、特許請求の範囲に記載された本発明の内容を不当に限定するものではなく、本実施形態で説明される構成の全てが本発明の解決手段として必須であるとは限らない。
【００１５】
以下の説明では、電場発生コンテナ１のドア２ｅを正面とし、その左右方向（幅方向）をＸ方向、上下方向（高さ方向）をＺ方向、前後方向（長手方向）をＹ方向として説明する。本明細書、特許請求の範囲に記載する「第１」、「第２」という用語は、異なる構成要素を区別するために用いられており、特定の順序や優劣を示すために用いられているものではない。図面で示す電場発生コンテナ１は、理解を容易にするため、装置構成の要部を模式的に示すものである。
【００１６】
実施形態で示す電場発生コンテナ１は、外法寸法、内方寸法、扉開口寸法が、４０フィートコンテナ（４０フィート  ハイキューブ  リーファーコンテナ）として構成した一例を示す。即ち、外法寸法の長さ（Ｙ方向）が１２，１９２ｍｍ、幅（Ｘ方向）が２，４３８ｍｍ、高さ（Ｚ方向）が２，８９６ｍｍである（各図における縮尺は実際の寸法比率とは合っていない。）。しかしながら、本発明の電場発生コンテナは、２０フィート、ハイキューブではない４０フィート、また任意サイズのリーファーコンテナに適用することもできる。
【００１７】
電場発生コンテナ１の説明
【００１８】
電場発生コンテナ１は、コンテナ筐体２と、温度調整装置、冷却装置であるリーファー装置３とを備える。コンテナ筐体２は、直方体形状に形成されており、その内部には収容室４が形成されている。
【００１９】
コンテナ筐体２の説明
【００２０】
コンテナ筐体２は、天井部２ａ、一対の側壁部２ｂ、前壁部２ｃ、床部２ｄ、ドア２ｅでなる。天井部２ａ、一対の側壁部２ｂ、前壁部２ｃ、床部２ｄ、ドア２ｅは、それぞれ外装板と、内装板と、外装板と内装板との間に設けた断熱材とで構成されており、外気温の影響を排除して、リーファー装置３によって収容室４の室内を所定温度に維持できるようにしている。
【００２１】
収容室４の室内に面する天井部２ａ、一対の側壁部２ｂ、前壁部２ｃ、床部２ｄ、ドア２ｅの各内装板の表面は、収容室４の「室内面」を構成する。収容室４は、天井部２ａ、一対の側壁部２ｂ、前壁部２ｃ、床部２ｄ、ドア２ｅのそれぞれの内装板によって囲まれる空間によって形成される。なお、前壁部２ｃは、その前壁外装板２ｃ１、前壁内装板２ｃ２、前壁断熱材２ｃ３と、前壁部２ｃに固定設置されたリーファー装置３とによって構成されている。
【００２２】
リーファー装置３は、図１で示すように収容室４の空間を吸入する吸気部３ａと、冷気を収容室４に送る吹出口３ｂとを有する。吹出口３ｂから収容室４に吹き出した冷気は、床部２ｄを構成する複数のＴレールどうしの間隙に形成されている溝形の床面通気路２ｄ１によって風向が誘導されてドア２ｅに到達する。冷気はドア２ｅに沿って上昇して天井部２ａの天井面２ａ１に到達し、天井面２ａ１に沿って前方に流れてリーファー装置３の吸気部３ａに吸い込まれる。収容室４では図１で二点鎖線の矢印で示すように循環する冷気の流れが形成される。
【００２３】
収容室４の天井面２ａ１には、複数の電極部材５が設置されている。図１及び図２の電場発生コンテナ１には１４本の電極部材５が設置されている。電極部材５は全長に亘って棒形に形成されている。複数の電極部材５は、コンテナ筐体２の長手方向（Ｙ方向）で相互に離間して並列に配置されるとともに、各電極部材５の長手方向がコンテナ筐体２の幅方向（Ｘ方向（「交差方向」））に沿うように配置されている。
【００２４】
電極部材５は、電極収容部材６と、高電圧が印加されて電場を発生する電極板７とを有する。電極収容部材６は、電気絶縁性樹脂で形成されている。電極収容部材６は両端が液密に封止された筒状に形成されている。
【００２５】
電極板７は、電極収容部材６の内部に収容される。電極板７は導電板で形成されており、一例としてアルミ板で形成できる。
【００２６】
各電極板７は、図２で示すように導通路９と後述する高圧電線３ｊ１４を介して電場発生制御装置３ｊに接続されている。導通路９は、主電線９ａ、分岐電線９ｂ、分岐コネクタ９ｃにより構成されている。複数の電極板７は、リーファー装置３に対して並列接続されているため、どれか一つの電極板７（電極部材５）が破損等して導通できなくなっても、他の電極板７は導通させ続けることができる。分岐コネクタ９ｃは防水コネクタであるため、水が付着しても問題がない。そのため収容室４は、水をかけて洗浄することができる。
【００２７】
リーファー装置３の説明
【００２８】
リーファー装置３は、コンテナ筐体２に装着するユニット装置として構成されている。リーファー装置３は、図１〜図３で示すように前壁部２ｃにボルト止めにより固定設置される。リーファー装置３は、筐体３ｃを有する。筐体３ｃは、枠体３ｃ１とリーファーキャビネット３ｃ２とを有する。枠体３ｃ１は上部、中間部、下部に分かれている。中間部と下部は、リーファーキャビネット３ｃ２の前方に設けられている。
【００２９】
上部には、２つの開口扉３ｄが設置されている。開口扉３ｄを開けるとリーファーキャビネット３ｃ２の内部にアクセスことができる。中間部には、中間部と下部とを仕切る仕切り棚３ｅが配置されており、仕切り棚３ｅには主に凝縮器３ｆ、収容室４の温度調整を操作する操作装置３ｇ等が設置されている。操作装置３ｇは、表示画面３ｇ１と操作部３ｇ２を有する。
【００３０】
下部には、圧縮機室３ｈ、インバータ装置３ｉ、電場発生制御装置３ｊが設置されている。電場発生制御装置３ｊとインバータ装置３ｉの前方には金属製の保護パネル３ｋが設置されている。保護パネル３ｋは、電場発生制御装置３ｊの後述する上扉３ｊ３よりも低い高さで形成されている。このため、操作装置３ｇを操作する際には、保護パネル３ｋと干渉することなく上扉３ｊ３だけを開けることができて便利である。
【００３１】
保護パネル３ｋとインバータ装置３ｉとの間には隙間があり、その隙間には電源ケーブル３ｍを収容する電源ケーブル収容部（図３参照）が設けられている。電源ケーブル３ｍは、電源プラグ３ｍ１とケーブル３ｍ２とで構成され、ケーブル３ｍ２はリーファー装置３に接続されている。電源ケーブル３ｍは、コンテナターミナルとコンテナ船に設置された電源ボックス又はコンテナスタンド等の給電装置の電源ケーブルに対して接続することで、外部電力をリーファー装置３に供給している。
【００３２】
以上のようなリーファー装置３は、機能的観点からみると、温度調整機能を担う凝縮器３ｆ、操作装置３ｇ、圧縮機室３ｈ、インバータ装置３ｉ等が冷却部（冷却装置）３Ａを構成し、電場機能を担う電場発生制御装置３ｊが電場発生制御部３Ｂを構成しており、これらを統合して電場温度制御ユニットとして構成したものである。
【００３３】
電場発生制御装置３ｊの説明〔図３、図４、図５〕
【００３４】
電場発生制御装置３ｊは、リーファー装置３に設置されている。電場発生制御装置３ｊはキャビネット３ｊ１を備える。キャビネット３ｊ１は、本体３ｊ２の正面開口を閉塞する複数の扉、即ち上扉（第１の扉）３ｊ３と下扉（第２の扉）３ｊ４を有している。
【００３５】
上扉３ｊ３は、本体３ｊ２の上部収容部（第１の収容部）３ｊ５を開閉し、閉状態では液密に上部収容部３ｊ５を閉塞する。上扉３ｊ３には外から内部（表示画面３ｊ８１）を視認するための窓３ｊ７が設置されている。
【００３６】
下扉３ｊ４は、本体３ｊ２の下部収容部（第２の収容部）３ｊ６を開閉し、閉状態では液密に下部収容部３ｊ６を閉塞する。なお、下扉３ｊ４は、対向する保護パネル３ｋを取り外さなければ開くことができない。下扉３ｊ４を開け難くしている理由は、下部収容部３ｊ５に電場を発生する高圧電源部を設置しており、それを保護するとともに安全性を確保するためである。
【００３７】
上部収容部３ｊ５には、表示画面３ｊ８１を有する操作表示装置３ｊ８と、変圧器（図示略）と、ＰＬＣ、電源装置及びブレーカ装置等を含む第１の機械部３ｊ９とが設置されている。操作表示装置３ｊ８を操作することで、電場発生制御装置３ｊの各種動作の制御を行う。前述のように上扉３ｊ３は保護パネル３ｋと干渉せずに開けられる。そのため操作表示装置３ｊ８を操作する際には、上扉３ｊ３だけを開けて操作することができて、使い勝手が良い。
【００３８】
下部収容部３ｊ６には、リレー群、ファンモータ及びヒータ等を含む第２の機械部３ｊ１０と、各種端子台及び高圧電源部等を含む第３の機械部３ｊ１１とが設置されている。
【００３９】
電場発生制御装置３ｊは、リーファー装置３から受電して駆動する。そのため電場発生制御装置３ｊのキャビネット３ｊ１の側面部には、一端がリーファー装置３に繋がる電源線３ｊ１２の他端を接続するための電源接続部３ｊ１３が設けられている。
【００４０】
電源線３ｊ１２を通じて供給された電力は、第１の機械部３ｊ９の電源装置を介してＰＬＣを駆動させる。また、電源線３ｊ１２から供給された電力は、変圧器により昇圧されて第３の機械部３ｊ１１の高圧電源部に供給される。高圧電源部に供給された高電圧は、導通路９を通じて電極板７に供給される。そのために電場発生制御装置３ｊのキャビネット３ｊ１の側面部には、一端が導通路９に繋がる高圧電線３ｊ１４の他端を接続するための高圧線接続部３ｊ１５が設けられている。
【００４１】
高圧電線３ｊ１４は、前面板３ｃ４に開口する挿通孔３ｃ５を通じてリーファーキャビネット３ｃ２の内部に導入される。高圧電線３ｊ１４は、図３において２点鎖線で示すように、前面板３ｃ４の裏面側（収容室４側）にボックス状の閉空間を形成するリーファーキャビネット３ｃ２の中に配線されており、その中で図外のコネクタを介して導通路９と接続されている。
【００４２】
導通路９は、リーファーキャビネット３ｃ２の上部から収容室４の内部に導入されて、各電極板７に接続される。
【００４３】
このように電場発生制御装置３ｊは、リーファー装置３の電力を高電圧に変圧し、導通路９を介して高電圧を電極板７に供給するために必要な各種機械装置を単一のキャビネット３ｊ１の内部に備える構成とされている。このように電場発生制御装置３ｊがコンパクトに構成されているため、電場発生制御装置３ｊはリーファー装置３の枠体３ｃ１に設置することができる。
【００４４】
キャビネット３ｊ１の側面部には、電源接続部３ｊ１３、高圧線接続部３ｊ１５の他にも、ドア２ｅの開閉状態を検知するセンサの信号線が接続される信号線接続部（図示略）が設置されている。ドア２ｅが開状態のときには電極板７に対する高電圧の供給を停止するように制御される。
【００４５】
キャビネット３ｊ１は、防塵防水規格ＩＰ５４相当の防塵性能、防水性能を有する防塵防水キャビネットとして構成されている。そのため上扉３ｊ３、下扉３ｊ４と本体３ｊ２との接触部分には、防塵防水用のシール部が形成されている（図示略）。また、前述した電源接続部３ｊ１３、高圧線接続部３ｊ１５、信号線接続部は、防塵防水用のグロメット３ｊ１６に設置されている。したがって、キャビネット３ｊ１の内部には、塵埃や水滴が付着しない。そのため電場発生制御装置３ｊの安全性を高めることができる。
【００４６】
キャビネット３ｊ１の左右の側面部には、第１の防振支持脚３ｊ１７と、第２の防振支持脚３ｊ１８が設置されている。それらは同一構造である。第１の防振支持脚３ｊ１７は、キャビネット３ｊ１の奥行方向で複数個設置されており、リーファー装置３の枠体３ｃ１の下枠板３ｃ３に固定されている。第２の防振支持脚３ｊ１８は、キャビネット３ｊ１の高さ方向で複数個設置されており、リーファー装置３のリーファーキャビネット３ｃ２の前面板３ｃ４に固定されている。電場発生制御装置３ｊは、下枠板３ｃ３と前面板３ｃ４と隙間を介して配置されている。
【００４７】
第１の防振支持脚３ｊ１７と第２の防振支持脚３ｊ１８には、ゴム状弾性体でなるゴム脚３ｊ１９を備える。電場発生制御装置３ｊは、ゴム脚３ｊ１９の弾性変形により、コンテナ筐体２に固定設置されるリーファー装置３の枠体３ｃ１に対して変位することができる。例えば、クレーンを使って電場発生コンテナ１を移送する際には、コンテナ筐体２が振動及び衝撃を受けることがある。また、コンテナ船で航海しているときやコンテナヤード等で定置しているときにも、振動及び衝撃を受けるおそれがある。このような場合でも、電場発生制御装置３ｊは、複数のゴム脚３ｊ１９の弾性変形によりリーファー装置３の枠体３ｃ１に対して変位可能であるため、構成する機械部品への振動や衝撃を緩和して保護することができる。
【００４８】
以上のような本実施形態の電場発生コンテナ１及びリーファー装置３によれば、リーファー装置３の筐体３ｃに電場発生制御装置３ｊを備えるため、電場発生コンテナ１の積載容量が低減するのを抑制することができる。
【００４９】
変形例
【００５０】
本発明の一態様である前記実施形態は、様々な変形例として実施することが可能である。そこでその例を説明する。
【００５１】
前記実施形態のリーファー装置３は、枠体３ｃ１の下部に電場発生制御装置３ｊを設置する例を示したが、リーファー装置３の内部に設置するのであれば、その他の場所（枠体３ｃ１の上部や中間部）に設置してもよい。
【００５２】
前記実施形態の電場発生制御装置３ｊは、上扉３ｊ３と下扉３ｊ４とを有する例を示したが、３つ以上の扉を有する構成としてもよい。また、上扉３ｊ３は、複数の扉で構成してもよい。
【符号の説明】
【００５３】
１        電場発生コンテナ
２        コンテナ筐体
２ａ      天井部
２ａ１    天井面
２ｂ      側壁部
２ｃ      前壁部
２ｃ１    前壁外装板
２ｃ２    前壁内装板
２ｃ３    前壁断熱材
２ｄ      床部
２ｄ１    床面通気路
２ｅ      ドア
３        リーファー装置
３Ａ      冷却部（冷却装置）
３Ｂ      電場発生制御部
３ａ      吸気部
３ｂ      吹出口
３ｃ      筐体
３ｃ１    枠体
３ｃ２    リーファーキャビネット
３ｃ３    下枠板
３ｃ４    前面板
３ｃ５    挿通孔
３ｄ      開口扉
３ｅ      仕切り棚
３ｆ      凝縮器
３ｇ      操作装置
３ｇ１    表示画面
３ｇ２    操作部
３ｈ      圧縮機室
３ｉ      インバータ装置
３ｊ      電場発生制御装置
３ｊ１    キャビネット
３ｊ２    本体
３ｊ３    上扉
３ｊ４    下扉
３ｊ５    上部収容部
３ｊ６    下部収容部
３ｊ７    窓
３ｊ８    操作表示装置
３ｊ８１  表示画面
３ｊ９    第１の機械部
３ｊ１０  第２の機械部
３ｊ１１  第３の機械部
３ｊ１２  電源線
３ｊ１３  電源接続部
３ｊ１４  高圧電線
３ｊ１５  高圧線接続部
３ｊ１６  グロメット
３ｊ１７  第１の防振支持脚
３ｊ１８  第２の防振支持脚
３ｊ１９  ゴム脚
３ｋ      保護パネル
３ｍ      電源ケーブル
３ｍ１    電源プラグ
３ｍ２    ケーブル
４        収容室
５        電極部材
６        電極収容部材
７        電極板
９        導通路
９ａ      主電線
９ｂ      分岐電線
９ｃ      分岐コネクタ
【要約】
【課題】電場発生コンテナについて積載容量の低減を抑制する。
【解決手段】保管対象物を収容する収容室を有するコンテナ筐体２と、前記コンテナ筐体２に取付ける筐体３ｃを有しており前記収容室の室内温度を調整するリーファー装置３と、前記コンテナ筐体２に配置され前記収容室に電場を形成する電極部材５とを備える電場発生コンテナについて、前記リーファー装置３の前記筐体２内に配置されており、前記電極部材５に対する通電制御を行う電場発生制御装置３ｊを備える。
【選択図】図４【図１】
0006839262.tif 000002
【図２】
0006839262.tif 000003
【図３】
0006839262.tif 000004
【図４】
0006839262.tif 000005
【図５】
0006839262.tif 000006
【図６】
0006839262.tif 000007